(57)【要約】【課題】ＣＡＤデータの平面図と施工箇所の断面図を簡単にリンクさせるとともに、平面図をもとにして断面図や写真データの整理を迅速、簡便に行う。【解決手段】設計時に作成したＣＡＤデータの平面図に付与されている構造部材の識別情報に、前記ＣＡＤデータの断面図情報をリンクさせ、前記識別情報の指定により前記断面図情報を表示させる。また、前記構造部材の識別情報には、各構造部材の指摘事項データがリンクされ、前記平面図で表示されている構造部材の識別情報の付近に、指摘事項が入力されたことを示す指摘番号を表示させる。さらに、前記構造部材の識別情報には、各構造部材の検査部位での写真データがリンクされ、前記平面図で表示されている構造部材の識別情報の付近に、写真データが入力されたことを示す確認写真番号を表示させる。【選択図】図４
2004232448.tif 000002
【特許請求の範囲】
【請求項１】
設計時に作成したＣＡＤデータの平面図に付与されている構造部材の識別情報に、前記ＣＡＤデータの断面図情報をリンクさせ、前記識別情報の指定により前記断面図情報を表示させることを特徴とする躯体工事の品質検査システム。
【請求項２】
前記構造部材の識別情報には、各構造部材の指摘事項データがリンクされ、前記平面図で表示されている構造部材の識別情報の付近に、指摘事項が入力されたことを示す指摘番号を表示させることを特徴とする請求項１記載の躯体工事の品質検査システム。
【請求項３】
前記構造部材の識別情報には、各構造部材の検査部位での写真データがリンクされ、前記平面図で表示されている構造部材の識別情報の付近に、写真データが入力されたことを示す確認写真番号を表示させることを特徴とする請求項１記載の躯体工事の品質検査システム。
【請求項４】
前記写真データには、構造部材の識別情報と前記確認写真番号が撮影されていることを特徴とする請求項３記載の躯体工事の品質検査システム。
【発明の詳細な説明】
【０００１】
【発明の属する技術分野】
本発明は、建設、土木工事における躯体工事の品質検査システムに関する。
【０００２】
【従来の技術】
従来、建設、土木工事における躯体工事の品質検査は、鉄筋、鉄骨、コンクリートの状態を現場で直接確認しなければならない。配筋検査は、コンクリートを打設する前に、鉄筋の施工状況が設計仕様通りになっていることを現場で目視して検査している。その際に、平面図を参照し、該当する検査位置の部位や符号を確認して、その符号に該当する断面図を調べて、現物と照合して検査結果を記録している。
【０００３】
検査を実施した記録として、平面図の検査箇所に「レ」点などでマーキングをし、検査箇所に指摘事項がある場合は、検査箇所から引き出し線を引いて指摘内容を記録し、作業員に適切に指示できる記録を残している。また、検査場所の施工が適切に行われている部位については、定められたサンプリング基準に応じて工事の施工状況をカメラで撮影し画像情報として記録を残している。
【０００４】
【特許文献１】特開平１０−３０１９８６号公報
【０００５】
【発明が解決しようとする課題】
しかしながら、上記一連の作業を、設計時に作成したＣＡＤデータの平面図、断面図を用いて行う場合、平面図の該当する符号に対応した断面図を逐一関係付けたり、施工状況を撮影した写真を平面図と対応させて正しく整理する作業に膨大な時間と手間を要するという問題を有している。
【０００６】
また、上記従来の方式においては、工事の施工状況をカメラで撮影する際、施工箇所の情報を識別できるように、撮影日、撮影場所、断面図を書いたボードを施工箇所において撮影しているが、断面図をその都度、ボードに書き込む作業に多大の時間と手間を要していた。
【０００７】
なお、平面図の特定位置に、詳細図や、写真、属性データなどを事前にリンクさせる技術は上記特許文献１に記載されているが、この方式ではリンクさせるために、ボタンや枠などのシンボルを付けた後、関連する個々のデータを確認して逐一リンク作業を行うため、多大の時間と手間を要するという問題を有している。
本発明は、上記従来の問題を解決するものであって、ＣＡＤデータの平面図と施工箇所の断面図を簡単にリンクさせることができるとともに、平面図をもとにして断面図や写真データの整理を迅速、簡便に行うことができる躯体工事の品質検査システムを提供することを目的とする。
【０００８】
【課題を解決するための手段】
そのために本発明の躯体工事の品質検査システムは、設計時に作成したＣＡＤデータの平面図に付与されている構造部材の識別情報に、前記ＣＡＤデータの断面図情報をリンクさせ、前記識別情報の指定により前記断面図情報を表示させることを特徴とする。
また、前記構造部材の識別情報には、各構造部材の指摘事項データがリンクされ、前記平面図で表示されている構造部材の識別情報の付近に、指摘事項が入力されたことを示す指摘番号を表示させることを特徴とする。
また、前記構造部材の識別情報には、各構造部材の検査部位での写真データがリンクされ、前記平面図で表示されている構造部材の識別情報の付近に、写真データが入力されたことを示す確認写真番号を表示させることを特徴とする。
また、前記写真データには、構造部材の識別情報と前記確認写真番号が撮影されていることを特徴とする。
【０００９】
【発明の実施の形態】
以下、本発明の実施の形態を図面を参照しつつ説明する。図１〜図８は、本発明の躯体工事の品質検査システムの１実施形態を説明するための図である。
【００１０】
図１は、本発明に係る検査システムの操作画面を示し設計時に作成したＣＡＤデータの平面図が表示されている。この平面図には、ＣＡＤで作成した柱、梁、床、壁などの構造部材を識別するために、Ｃ、Ｇ、Ｓ、Ｗなどの符号とそれぞれの通し番号を合成して付与されている。例えば、各柱はＣ１、Ｃ２などの文字列からなる識別情報で区別、付与されている。
【００１１】
図２は、コンピュータの記憶装置に格納されている図面データのファイル構造を示し、図面データは、階層構造からなり、上位階層には、各階の平面図が格納され、その下位階層には、各階の構造部材（Ｃ１、Ｃ２、Ｇ１など）毎の断面図情報がリンク格納されている。
【００１２】
図３は、構造部材のうち柱の検査内容を格納した指摘事項データを示し、位置（主筋、フープ筋など）、検査項目（種類、径、本数、間隔など）及び検査項目に対応する指摘内容（材種の違い、径の違い、本数不足、間隔不良など）がリンク格納されている。この検査内容は、梁、床、壁などの他の構造部材についても、それぞれの検査内容に応じてリンク格納されている。
【００１３】
図１の平面図において、例えば柱Ｃ２の部分をポインティングデバイスで指定（クリック）すると、図４に示すように、柱Ｃ２に関する検査内容（図３で説明した位置と項目）と断面図情報の画面がマルチウインドウで表示される。作業員は、この断面図情報に基づいて鉄筋の施工状況が設計仕様通りになっている否かを検査し、適正であればチェックボタン「レ」を指定すると、図５（Ａ）に示すように識別情報「Ｃ２」の付近にチェック済みである「レ」点が付加される。
【００１４】
検査の結果、指摘事項がある場合には、図４の画面で「指摘Ｎｏ入力」のボタンをクリックすると、図６の画面がマルチウインドウで表示され、ここで、該当する位置、項目、指摘内容を選択する。図６の画面で「決定」ボタンをクリックすると、図５の画面に戻り、（Ｂ）に示すように、検査部位を示す引き出し線を引くと、指摘事項の通し番号▲１▼が自動的に付与される。
【００１５】
デジタルカメラで検査部位を撮影する度に、図４の画面で「確認写真入力」ボタンをクリックすると、図５（Ｃ）に示すように、カメラマークを表示し撮影された場所と写した方向を矢印でマーキングすることができ、また、確認写真の通し番号が自動的に付与される。なお、指摘事項の通し番号には、是正前と是正後の写真をリンクすることができるようにしている。
【００１６】
図７（Ａ）は、撮影された写真を示す図である。撮影部位にはボードが付設され、このボードには、工事名、撮影日、撮影場所と共に、構造部材の識別情報（図のＣ３５）と確認写真の通し番号（ここでは▲１▼）が記載され、従来ボードに記載していた図７（Ｂ）に示す断面図情報を省略している。その結果、構造部材の識別情報と確認写真の通し番号がリンクされることになる。図７（Ａ）と図７（Ｂ）の情報は、検査結果として同一の画面で表示できるようにしている。
【００１７】
以上の処理結果は、図８の検査データの構造の形式で保存される。すなわち、構造部材の部位（柱、梁、床、壁など）、符号（識別情報）、符号の座標（確認マーク用「レ」点）、「レ」点マーク番号（レ、レレ、レレレの３種類：大きな構造部材の場合にチェックの進捗状況をマークで識別する）、指摘の有無、確認写真の有無の情報が記録される。また、指摘事項がある場合には、指摘番号、引き出し線座標、指摘事項１（図３の項目）、指摘事項２（図３の指摘内容）、是正前写真の日付（是正前写真をリンク）、是正後写真の日付（是正後写真をリンク）の情報が記録される。さらに、確認写真がある場合には、確認写真番号、引き出し線座標、写真の日付（確認写真をリンク）、コメントの情報が記録される。
【００１８】
図９は、本発明の躯体工事の品質検査システムの他の実施形態を説明するための図である。本実施形態は、上階で柱主筋本数が増加する場合、当該階で主筋が必要となる等、配筋上、特に注意の必要な情報を出力するようにしている。
【００１９】
本実施形態においては、「参照」ボタン、「アラーム内容」ボタンが用意され、「参照」ボタンをクリックすると、断面図情報として梁の端部と中央の配筋が表示され（上図）、或いは柱頭と柱脚の配筋が表示され（下図）、また、「アラーム内容」ボタンをクリックすると配筋に関する注意情報が出力されるようになっている。図１０はそのためのデータ構成を示している。
【００２０】
【発明の効果】
以上の説明から明らかなように、本発明によれば、従来のように図面間の関係付けを事前に準備する必要がないため、ＣＡＤデータの平面図と施工箇所の断面図を簡単にリンクさせることができる。また、写真データと関連する断面図を迅速、確実にリンクさせることができ、平面図をもとにして断面図や写真データの整理を迅速、簡便に行うことができる。また、写真データには、構造部材の識別情報と前記確認写真番号が撮影されているので、従来のように撮影時にボードに断面図情報を記載する必要がない。
【図面の簡単な説明】
【図１】本発明の躯体工事の品質検査システムの１実施形態を示し、検査システムの操作画面を示す図である。
【図２】本発明に係る図面データのファイル構造を示す図である。
【図３】本発明に係る構造部材の検査内容を格納したファイル構造を示す図である。
【図４】本発明に係る品質検査システムを説明するための図である。
【図５】本発明に係る品質検査システムを説明するための図である。
【図６】本発明に係る品質検査システムを説明するための図である。
【図７】本発明に係る撮影された写真を示す図である。
【図８】本発明に係る検査データの構造を説明するための図である。
【図９】本発明の躯体工事の品質検査システムの他の実施形態を説明するための図である。
【図１０】図９におけるデータ構成を示す図である。
【図１】
2004232448.tif 000003
【図２】
2004232448.tif 000004
【図３】
2004232448.tif 000005
【図４】
2004232448.tif 000006
【図５】
2004232448.tif 000007
【図６】
2004232448.tif 000008
【図７】
2004232448.tif 000009
【図８】
2004232448.tif 000010
【図９】
2004232448.tif 000011
【図１０】
2004232448.tif 000012